(57)【要約】【課題】  ズーム倍率の高い光学系を実現することができると共に、第１、第２筐体の両方にカメラ以外の機能を有する部品を設けるためのスペースが狭くなるのを防止することができる携帯端末装置を提供する。【解決手段】  表示部を有する第１筐体１３２と、主操作部１１６を有する第２筐体１３４と、第２筐体１３４の主操作部１１６が配置される主操作面に垂直な軸線を有して前記第１筐体１３２と第２筐体１３４とを相互に回動可能に連結する連結部１３６と、第２筐体１３４の主操作部以外の場所に設けた収納部１３９と、収納部１３９に収納可能であって前記第２筐体１３４と相互に回動可能な撮像部１４０とを備え、撮像部１４０を前記収納部１３９に収納した際に、撮像部１４０の光軸を前記第２筐体１３４の主操作面とほぼ平行にしたことを特徴とする。【選択図】      図４
2005167337.tif 000002
【特許請求の範囲】
【請求項１】
表示部を有する第１筐体と、
主操作部を有する第２筐体と、
前記第２筐体の主操作部が配置される主操作面に垂直な軸線を有して前記第１筐体と第２筐体とを相互に回動可能に連結する連結部と、
前記第２筐体の主操作部以外の場所に設けた収納部と、
前記収納部に収納可能であって前記第２筐体と相互に回動可能な撮像部とを備え、
前記撮像部を前記収納部に収納した際に、撮像部の光軸を前記第２筐体の主操作面とほぼ平行にしたことを特徴とする携帯端末装置。
【請求項２】
前記撮像部の筐体の長さに対応した光学ズームレンズ系を有することを特徴とする請求項１に記載の携帯端末装置。
【請求項３】
前記撮像部を前記収納部に収納した際に、前記第２筐体の主操作面と撮像部の前記筐体の主操作面側の表面とがほぼ同一面となることを特徴とする請求項２に記載の携帯端末装置。
【請求項４】
前記第２筐体の連結部近傍の側面に、前記撮像部の撮影操作部材を配置したことを特徴とする請求項１ないし３のいずれかに記載の携帯端末装置。
【発明の詳細な説明】
【技術分野】
【０００１】
本発明は、カメラのような撮像部を設けた携帯電話機などの携帯端末装置に関するものである。
【背景技術】
【０００２】
近年の携帯電話機には、カメラのような撮像部を設けたタイプのものが多く見られるようになり（例えば、特許文献１参照）、撮像部の無い携帯電話機の方が珍しくなってきた。
従来のカメラ付携帯電話機としては、特許文献１の他には例えば、図７に示すようなものがあった。
【０００３】
図７の従来のカメラ付携帯電話機（以下、第１の従来例という）は、第１筐体１２と第２筐体１４との２つから構成される筐体１０が、筐体回動部１０ａを介して回動自在に連結して構成され、第２筐体１４に折り畳み時の内側面から背面に貫通する開口部１０ｂを設け、この開口部１０ｂ内に収納可能に軸支されて、開口部１０ｂから回動して、内側面及び背面の外側に各々突出すると共に、筐体１０を固定した状態で、ほぼ周囲全方向に回動して撮影可能なカメラユニット２０が設けられている。
【０００４】
この図７のカメラ付携帯電話機は、容易にレンズ方向を被写体に向けることができる折り畳み式移動体電話機を提供しようとしたものである。
【０００５】
また、他の従来のカメラ付携帯電話機としては、図８に示すようなものがあった。同図の従来のカメラ付携帯電話機（以下、第２の従来例という）は、第１の筐体１の正面中央にディスプレイ５を備え、その上端部には正面に開口する開口凹部１０が形成され、その開口凹部１０内に水平軸１１で軸支されて、第１の筐体１に対して回動する回動筐体３が収納されている。
【０００６】
この回動筐体３の回動方向の面のうち、正面側にスピーカ（図示せず）が設けられ、背面側にカメラ２０とストロボ装置３０とが設けられている。そして、回動筐体３の回動によりカメラ２０及びストロボ装置３０を、本体（第１の筐体１と第２の筐体２から構成される）の正面側（内面側）と背面側のいずれか一方に選択的に位置させるようにしたものである。
【０００７】
この図８のカメラ付携帯電話機は、被写体の位置を問わずディスプレイ５の画面で被写体の画像を確認しながら撮影を行うことができ、かつ、被写体の照度が不十分な場所であっても、ストロボ装置３０を用いることにより撮影した画像の画質が十分に確保される携帯電話機を提供しようとしたものである。
【０００８】
また、さらに他の従来のカメラ付携帯電話機として、図９に示すようなものがあった。同図の従来のカメラ付携帯電話機（以下、第３の従来例という）は、画像及び音声の無線送受信機能をもち、ビデオカメラ部４と、該カメラ部４で撮影した画像や受信した画像などを表示可能な画像表示部８と、各種入力画面が表示可能で、かつタッチ入力画面が表示可能な可変表示タッチ操作部１０とを具備するものである。
【０００９】
そして、画像表示部８を設けた第１筐体２の端部と、可変表示タッチ操作部１０を備えた第２筐体３の端部とを、互いに相対回転可能となるように回転軸支部５で結合し、また、ビデオカメラ部４を回転軸支部５に回転可能となるように配設するようになっている。
【００１０】
また、第１、第２筐体２，３の両方には、ビデオカメラ部４の収納及び回転を確保するための大きな切り欠き６，７を設け、第１、第２筐体２，３を２つ折りに折り畳んだ状態では、画像表示部８及び可変表示タッチ操作部１０は外部に露出せず、かつビデオカメラ部４は切り欠き６，７内に収納可能であるようにしたものである。
【００１１】
この図９のカメラ付携帯電話機は、ポケッタブルサイズに小型化を図っても多様な操作を行い得る、利便性の高いテレビ電話機能付きの携帯電話機を提供しようとしたものである。
【００１２】
【特許文献１】特開平１１−１２７３７０号公報
【発明の開示】
【発明が解決しようとする課題】
【００１３】
しかしながら、前記第１、第２の従来例（図７、８参照）にあっては、光学系の対物レンズと受光素子との間の距離が短いため、対物レンズと受光素子との間の距離を長くしてズーム倍率を高くした光学系を実現することができないという問題があった。
【００１４】
また、前記第３の従来例（図９参照）にあっては、第１、第２筐体部２，３の両方に、ビデオカメラ部４の収納及び回転を確保するための大きな切り欠き６，７が設けられているので、画像表示部８等の、ビデオカメラ以外の機能を有する部品を設けるためのスペースが狭くなってしまうという問題があった。
【００１５】
そこで本発明は、上記問題点に鑑みて、ズーム倍率の高い光学系を実現することができると共に、第１、第２筐体の両方にカメラ以外の機能を有する部品を設けるためのスペースが狭くなるのを防止することができる携帯端末装置を提供することを課題とするものである。
【課題を解決するための手段】
【００１６】
上記課題を解決するために、本発明による携帯端末装置は、
表示部を有する第１筐体と、
主操作部を有する第２筐体と、
前記第２筐体の主操作部が配置される主操作面に垂直な軸線を有して前記第１筐体と第２筐体とを相互に回動可能に連結する連結部と、
前記第２筐体の主操作部以外の場所に設けた収納部と、
前記収納部に収納可能であって前記第２筐体と相互に回動可能な撮像部とを備え、
前記撮像部を前記収納部に収納した際に、撮像部の光軸を前記第２筐体の主操作面とほぼ平行にしたことを特徴とするものである。
【００１７】
また、本発明による携帯端末装置は、前記撮像部の筐体の長さに対応した光学ズームレンズ系を有するようにすることができる。
【００１８】
また、本発明による携帯端末装置は、前記撮像部を前記収納部に収納した際に、前記第２筐体の主操作面と撮像部の前記筐体の主操作面側の表面とがほぼ同一面となるようにすることができる。
【００１９】
また、本発明による携帯端末装置は、前記第２筐体の連結部近傍の側面に、前記撮像部の撮影操作部材を配置するようにすることができる。
【発明の効果】
【００２０】
このような構成の携帯端末装置によれば、ズーム倍率の高い光学系を実現することができると共に、第１、第２筐体の両方にカメラ以外の機能を有する部品を設けるためのスペースが狭くなるのを防止することができる。
【発明を実施するための最良の形態】
【００２１】
以下、本発明に係る携帯端末装置の実施の形態について、図面に基づいて具体的に説明する。
図１ないし６は、本発明の一実施の形態に係るカメラ付携帯電話機１３０（携帯端末装置）について説明するために参照する図である。
【００２２】
図１、２に示すように、このカメラ付携帯電話機１３０は、画像表示画面１３８（表示部）を有する第１筐体１３２と、主操作部１１６を有する第２筐体１３４により構成され、互いの端部が、画像表示画面１３８に対して垂直な方向と平行な方向に貫通する連結軸１３６（連結部）により連結されている。
【００２３】
カメラ付携帯電話機１３０の第１筐体１３２は、第２筐体１３４と互いに重ね合わされて閉じた状態から、図２に矢印ａで示すように、連結軸１３６の軸線を中心にして第２筐体１３４に対して最大１８０°回動させることができるようになっている。
【００２４】
このように、第１筐体１３２を１８０°回動させることにより、図２に示すように、第２筐体１３４に設けられた主操作部１１６が外側に見えるような、重ね型携帯電話機３０を開いた状態にすることができる。
【００２５】
図１は、第１筐体１３２と第２筐体１３４を閉じて重ね合わさった状態を示すが、この状態のカメラ付携帯電話機１３０を背面側から見ると、図３に示すようになる。同図に示すように、第２筐体１３４の連結軸１３６側でかつ側部寄りには、第２筐体１３４の半分くらいの長さを有し、第２筐体１３４の表裏両面にわたって貫通する切り欠き１３９（収納部）が形成されている。
【００２６】
このそして切り欠き１３９には、カメラ鏡筒１４０（撮像部）が収納されており、このカメラ鏡筒１４０はヒンジ部１４２を中心にして、図４に示すように回動し、第２筐体１３４の裏面からほぼ直角に立ち上がって、外側に突出するようになっている。カメラ鏡筒１４０を切り欠き１３９内から起こすには、指先や爪で起こす他に、ボタンを押してバネやモータの力により起こすようにしてもよい。
【００２７】
カメラ鏡筒１４０を起こした状態のカメラ付携帯電話機１３０を、第１筐体１３２の画像表示画面１３８の側から見ると、図５に示すようになる。この場合は、カメラ筒体１４０から被写体を撮り込み、その撮り込み画像をモニター画面としての画像表示画面１３８に表示させて構図を決めることができ、その後第２筐体１３４の連結軸１３６側端部の上側面に設けられた、シャッタ１４４（撮影操作部材）を押圧操作することにより撮影動作を行うことができる。
【００２８】
なお、カメラ鏡筒１４０を第２筐体１３４の裏面からほぼ直角に立ち上がらせてから撮影動作を行うだけでなく、図３に示すように、カメラ鏡筒１４０を切り欠き１３９内に収納した状態のまま撮影動作を行うこともできる。この場合は、カメラ鏡筒１４０の対物レンズ１４１に対向する第２筐体１３４の部分に穴をあけておくことはいうまでもない。
【００２９】
カメラ鏡筒１４０は、図６に示すように、その内部に複数のレンズがズームレンズ組として並んで設けられており、カメラ鏡筒１４０の対物レンズ１４１と反対側端部の行き止まり部には、ＣＣＤ（Ｃｈａｒｇｅ  Ｃｏｕｐｌｅｄ  Ｄｅｖｉｃｅ）のような撮像素子１４２が設けられている。
【００３０】
このようなカメラ付携帯電話機１３０は、使用しないときは図１、３に示すように第１筐体１３２と第２筐体１３４を閉じた状態にしておき、携帯電話機としての通話機能を使用するときは、図２に示すように、第１筐体１３２を１８０°回動させて第２筐体１３４の上からどかすことにより現れる、主操作部１１６を操作できるようにすることができる。
【００３１】
そして、カメラ付携帯電話機１３０のカメラ機能を使用するときは、図１に示す状態から図２に示すように第１筐体１３２を１８０°回動させないで、図３に示す状態から図４に示す状態になるように、カメラ鏡筒１４０を９０°回動させる。そして、図５に示すように、画像表示画面１３８を見ながら撮影画像の構図を決めて、それからシャッタ１４４を押圧して撮影動作を行うことができる。
【００３２】
このようなカメラ付携帯電話機１３０によれば、狭いスペースを利用して、長さの長いカメラ鏡筒１４０を設けることにより、ズーム倍率の高い光学系を実現することができると共に、第１、第２筐体１３２，１３４の両方にカメラ以外の機能を有する部品を設けるためのスペースが狭くなるのを防止することができる。
【図面の簡単な説明】
【００３３】
【図１】本発明の一実施の形態に係るカメラ付携帯電話機１３０を示す斜視図である。
【図２】第２筐体１３４に対して第１筐体１３２を１８０°回動して開いた状態のカメラ付携帯電話機１３０を示す正面図である。
【図３】図１に示すカメラ付携帯電話機１３０を背面側から見た斜視図である。
【図４】図３に示すカメラ付携帯電話機１３０のカメラ鏡筒１４０を第２筐体１３４の裏面に対して直角方向に立ち上がらせた状態を示す斜視図である。
【図５】図４に示す状態のカメラ付携帯電話機１３０を画像表示画面１３８側から見た斜視図である。
【図６】カメラ鏡筒１４０の内部構造を示す断面図である。
【図７】第１の従来例に係るカメラ付携帯電話機を示す一部分解斜視図である。
【図８】第２の従来例に係るカメラ付携帯電話機を示す斜視図である。
【図９】第３の従来例に係るカメラ付携帯電話機を示す斜視図である。
【符号の説明】
【００３４】
１３０  カメラ付携帯電話機
１３２  第１筐体
１３４  第２筐体
１３６  連結軸
１３８  画像表示画面
１３９  切り欠き
１４０  カメラ鏡筒
１４２  ヒンジ部
１４２  撮像素子
１４４  シャッタ
【図１】
2005167337.tif 000003
【図２】
2005167337.tif 000004
【図３】
2005167337.tif 000005
【図４】
2005167337.tif 000006
【図５】
2005167337.tif 000007
【図６】
2005167337.tif 000008
【図７】
2005167337.tif 000009
【図８】
2005167337.tif 000010
【図９】
2005167337.tif 000011